(57)【特許請求の範囲】
【請求項１】
一対の乳房用カップを装着用バストバンドに取付けてなるブラジャー主体と、合成樹脂製の連結具と、長さの調節が自在な肩掛け用ストラップとからなり、
前記ブラジャー主体の一対の乳房用カップと装着用バストバンドとを、前記連結具を介して肩掛け用ストラップを用いて連結し、
ブラジャー主体のフロント部で一対の乳房用カップの相互を開閉可能とするか若しくはブラジャー主体のバック部で前記装着用バストバンドの両端相互を開閉可能とし、
前記乳房用カップが開放できる授乳用ブラジャーにおいて、
前記連結具（Ｊ１）は、連結受け体（１）と、該連結受け体（１）に対して脱着自在な掛環体（２）とからなり、且つ、前記連結受け体（１）に対して掛環体（２）が装着面と平行する方向に揺動自在とし、
前記連結受け体（１）は、主基板（１１）の中央部にフック（１４）を有し、
前記掛環体（２）は、副基板（２１）の一端縁部に固定帯通し用長孔（２２）を設け、該副基板（２１）の他端部に掛止環部（２３）を設け、該掛止環部（２３）と片持梁状の弾性片（２４）の自由端とで軸断面形状のフック掛止用穴部（２５）を形成し、
前記フック（１４）は、断面が円形又は縦長円形とした軸部（１２）の先端に、軸径幅の舌形片（１３）を上方へ延設した構成とし、該フック（１４）は、主基板（１１）と舌形板（１３）とによって副基板（２１）の掛止環部（２３）が嵌る間隔（ａ）を確保して立設し、
フック（１４）の軸部（１２）よりも上方に帯通し長孔（１５ａ）を設け、
フック（１４）の軸部（１２）よりも下方に帯通し長孔（１５ｂ）を設け、
前記上方の紐通し長孔（１５ａ）と下方の紐通し長孔（１５ｂ）とを平行に設け、
前記連結受け体（１）の上方の帯通し用長孔（１５ａ）に肩掛け用ストラップ（Ｓ）を連結し、
乳房用カップ（Ｃ）の外側縁から下縁にかけての縁部（Ｃ１）にカップ支持帯（２６）の一端を縫着し、
前記連結受け体（１）の下方の紐通し用長孔（１５ｂ）に、前記カップ支持帯（２６）の他端を連結し、
また乳房用カップ（Ｃ）を形成する生地の上端部（Ｃ２）と前記掛環体（２）とを、伸縮帯部材（２７）で連結したことを特徴とする授乳用ブラジャー。
【請求項２】
一対の乳房用カップを装着用バストバンドに取付けてなるブラジャー主体と、
合成樹脂製の連結具と、長さの調節が自在な肩掛け用ストラップとからなり、
前記ブラジャー主体の一対の乳房用カップと装着用バストバンドとを、前記連結具を介して前記肩掛け用ストラップを用いて連結し、
ブラジャー主体のフロント部で一対の乳房用カップの相互を開閉可能とするか若しくはブラジャー主体のバック部で前記装着用バストバンドの両端相互を開閉可能とし、前記乳房用カップが開放できる授乳用ブラジャーにおいて、
前記連結具（Ｊ２）は、連結受け体（１）と、該連結受け体（１）に対して脱着自在な掛環体（２）とからなり、且つ、前記連結受け体（１）に対して掛環体（２）が軸部（１２）を揺動中心として、軸部（１２）の回りに、一定の揺動角度に規制する手段により装着面と平行する方向への首振り（揺動）範囲を拘束するように係合し、
前記連結受け体（１）は、主基板（１１）の中央部にフック（１４）を有し、
前記掛環体（２）は、副基板（２１）の一端縁部に固定帯通し用長孔（２２）を設け、該副基板（２１）の他端部に掛止環部（２３）を設け、該掛止環部（２３）と片持梁状の弾性片（２４）の自由端とで軸断面形状のフック掛止用穴部（２５）を形成し、
前記フック（１４）は、断面が円形又は縦長円形とした軸部（１２）の先端に、軸径幅の舌形片（１３）を上方へ延設した構成とし、該フック（１４）は、主基板（１１）と舌形板（１３）とによって副基板（２１）の掛止環部（２３）が嵌る間隔（ａ）を確保して立設し、
フック（１４）の軸部（１２）よりも上方に帯通し長孔（１５ａ）を設け、
フック（１４）の軸部（１２）よりも下方に帯通し長孔（１５ｂ）を設け、
前記上方の紐通し長孔（１５ａ）と下方の紐通し長孔（１５ｂ）とを平行に設け、
前記連結受け体（１）の上方の帯通し用長孔（１５ａ）に肩掛け用ストラップ（Ｓ）を連結し、
乳房用カップ（Ｃ）の外側縁から下縁にかけての縁部（Ｃ１）にカップ支持帯（２６）の一端を縫着し、
前記連結受け体（１）の下方の紐通し用長孔（１５ｂ）に、前記カップ支持帯（２６）の他端を連結し、
また乳房用カップ（Ｃ）を形成する生地の上端部（Ｃ２）と前記掛環体（２）とを、伸縮帯部材（２７）で連結したことを特徴とする授乳用ブラジャー。
【請求項３】
一定の揺動角度に規制する手段が、連結受け体（１）の主基板（１１）又は掛環体（２）の副基板（２１）のいずれかに、ストッパー（１６）を突設した手段である請求項２記載の授乳用ブラジャー。
【請求項４】
乳房用カップ（Ｃ）は、内側に当て部材用ポケット（Ｐ）を具備したことを特徴とする請求項１記載の授乳用ブラジャー。
【請求項５】
乳房用カップ（Ｃ）は、そのアンダー部分縁部に沿って形状記憶ワイヤ（W）を内装したことを特徴とする請求項１記載の授乳用ブラジャー。
【発明の詳細な説明】
【０００１】
【発明が属する技術分野】
本発明は、乳幼児に対して簡単且つ迅速に授乳させるようにした授乳用ブラジャーに関する。
【０００２】
【従来の技術】
一般に、妊婦や産婦或いは産褥期の褥婦を対象として使用されるマタニティーブラジャーには各種のものがあるが、授乳を容易とすることに主眼を置いた授乳用ブラジャーとして、先行技術１：伸縮性の高いテープを使ってアンダーバスト、肩掛用ストラップ部分を形成し、授乳時にはその伸縮性を利用して乳房カップを乳房からずらすようにした周知のもの、先行技術２：肩掛用ストラップ部分と乳房カップとを脱着自在に連結して授乳口を開くようにしたストラップオープンタイプ（実公昭５３−４６８１６号公報、実公昭６３−２９６９５号公報等）のもの、先行技術３：前中心に並んだスナップボタンを開けて大きく授乳口を開くようにしたフロントオープンタイプ（特開平１０−１９５７０２号公報等）のもの、等が公知である。
【０００３】
【発明が解決しようとする課題】
先行技術１の授乳用ブラジャーは、装着帯として全てに伸縮性帯を使用していることから、その伸縮性により乳房の露出と被覆が簡単にでき、しかも身体への密着性と乳房の変形に対する順応性に優れ、装着体裁も良いものとなる。しかし、これが災いして、乳房を乳房カップで圧迫されて母乳が溢出しやすく、窮屈で血行不良を招くのみならず、皮膚面に装着跡や擦れによる爛れを招く。
【０００４】
先行技術２に記載したストラップオープンタイプのもの、例えば、実公昭６３−２９６９５号公報に記載された授乳用ブラジャーは、製作コスト面、装着体裁面等において実用的に優れることから多く市販され使用されている。しかし、その構成部分となっている合成樹脂製の連結具は、構成部材相互の連結状態が直線状態に拘束する構成となっていることから融通性に欠け、乳房カップによる乳房の圧迫により母乳の溢出は避けられない。また授乳のために乳房カップを開いた場合には、乳房カップと連結されていた肩掛用ストラップがフリーとなる構成であることから、授乳の前後の乳房の大きさの変化に順応し難い欠点がある。更に、肩掛用ストラップが緩んで肩から外れたり、授乳後の連結時に連結部分を探すことがしばしばあるなど、装着性と操作性において難点がある。
【０００５】
先行技術３に記載したフロントオープンタイプの授乳用ブラジャーは、大きく授乳口を開くようにしているため、家庭内での授乳においてはゆったり感があり好都合である。しかし、授乳者にとって同居家庭、外出時等において着用して授乳するには、露出度が高く抵抗がある。
【０００６】
本発明は、主として前記先行技術２に記載したストラップオープンタイプの授乳用ブラジャーの改良に関するもので、前記融通性の欠如と肩掛用ストラップの緩みによる肩からの外れの解消、乳房圧迫による母乳の溢出の軽減、授乳後の乳房カップと肩掛用ストラップとの連結操作性の向上を図った授乳用ブラジャーの提供を課題とする。また、本発明は、前記連結操作性の向上等を担保した上で、さらに乳房カップの操作による連結具が必要以上に揺動せず、必要以上の揺動で生じる肩掛け用ストラップの緩みからの装着崩れ（肩に対する肩掛け用ストラップの大幅な位置変動、肩からのずり落ち等）を抑止する授乳用ブラジャーの提供を課題としている。
【０００７】
【発明の実施の形態及び実施例】
（実施例１）
図１乃至図６は実施例１に係るものである。図１は一方の乳房用カップＣと肩掛け用ストラップＳを連結する連結具Ｊ１の連結受け体１と掛環体２を脱着し、該一方の乳房用カップＣを開放した装着姿勢状態の正面図、図２は乳房用カップＣと肩掛け用ストラップＳとの結合部分の拡大図、図３は合成樹脂製の連結具Ｊ１を構成する連結受け体１の正面図、図４は連結具Ｊ１を構成する掛環体２とこれに取付けた伸縮帯部材２７との正面図、図５は連結具Ｊ１を構成する連結受け体１とこれに係合する掛環体２との係合状態を断面とし、係合状態を実線で示し、掛環体２の離脱過程を仮想線で示した説明図、図６は連結受け体１に対する掛環体２の揺動状態を示す正面図である。
【０００８】
実施例１に係る授乳用ブラジャーは、図１及び図２に示すように、ブラジャー主体と、合成樹脂製の連結具Ｊ１と、長さ調節手段及びカップ支持帯２６を具備した肩掛け用ストラップＳを備える。前記ブラジャー主体は、装着用バストバンドＵの一部であるアンダーバスト部Ｕ１に乳房用カップＣをそれぞれ縫着してなる。前記乳房用カップＣの内側には当て部材用ポケットＰを具備している。また、前記一対の乳房用カップＣは、図１に示すように、捲って開放できる。
【０００９】
前記合成樹脂製の連結具Ｊ１は、図３乃至図６に示すように、連結受け体１と掛環体２とが装着面と平行する方向に首振り（揺動）自在に係合してなる。上記掛環体２は、連結受け体１に対して、フック１４の軸部１２を中心として揺動自在である。また、掛環体２は、連結受け体１のフック１４に対して脱着自在である。
【００１０】
前記連結受け体１は、主基板１１の中央部にフック１４を有している。該フック１４は、断面が円形又は縦長円形とした軸部１２の先端に上方へ軸径幅の舌形片１３を延設した構成である。前記主基板１１と舌形片１３とによって、掛環体２における副基板２１の掛止環部２３が嵌る間隔ａを確保している（図５参照）。また、フック１４の軸部１２よりも上方に帯通し長孔１５ａを設け、フック１４の軸部１２よりも下方に帯通し長孔１５ｂを設けている。本実施例１においては、前記上方の紐通し長孔１５ａと下方の紐通し長孔１５ｂとを平行に設けた構成とする。
【００１１】
肩掛け用ストラップＳの一端は、連結具Ｊ１における連結受け体１の前記帯通し用長孔１５ａと連結している。肩掛け用ストラップＳの他端は、肩に回して乳房用カップＣと連結している。連結受け体１における下方の帯通し用長孔１５ｂに、カップ支持帯２６の一端を連結している。カップ支持帯２６の他端は、乳房用カップＣの外側縁から下縁にかけての縁部Ｃ１に縫着する。カップ支持帯２６はゆとりのある長さとしている。
【００１２】
次に、前記掛環体２は、副基板２１の一端縁部に固定帯通し用長孔２２を設けている。副基板２１の他端部には、前記軸部１２が入るフック掛止用穴部２５を形成している。フック係止用孔部２５は、断面円形の枠部で形成した掛止環部２３と、前記副基板２１よりも薄くして一体に形成した片持梁状の弾性片２４の自由端とで形成している。掛環体２は、乳房用カップＣを形成する生地の上端部Ｃ２に伸縮帯部材２７を介して連結する（図２参照。）。
【００１３】
上記のように構成した本発明の実施例１に係る授乳用ブラジャーは、肩掛け用ストラップＳと連結した連結具Ｊ１の連結受け体１に、掛環体２を係合させた状態とする。
【００１４】
そして、割烹着等を着用するのと同様の要領で、肩掛け用ストラップＳと乳房用カップＣとで形成される左右の輪部分へ腕を通し、背部止めの装着用バストバンドＵを背中部分で連結した後、肩掛け用ストラップＳの長さ調節手段でフィットするように調節して、身体のバスト部に装着する。
【００１５】
授乳に際しては、連結受け体１から掛環体２を外すことによって、乳房用カップＣを形成する生地の一部を捲り乳房を露呈させて授乳し、授乳後は掛環体２を連結受け体１のフック１４から軸部１２に掛ける。
【００１６】
（実施例２）
図７乃至図９は実施例２に係る授乳用ブラジャーの合成樹脂製の連結具Ｊ２を示すものであって、該連結具Ｊ２は図１及び図２に示した連結具Ｊ１の代わりに使用することから、図１及び図２に示した授乳用ブラジャーの連結具Ｊ１が連結具Ｊ２に置換された状態のものを実施例２に係る授乳用ブラジャーとして説明する。
【００１７】
すなわち図１及び図２に示した実施例２に係る授乳用ブラジャーは、バック部で両端が連結される装着用バストバンドＵに乳房用カップをそれぞれ縫着してなるブラジャー主体と、脱着自在の合成樹脂製の連結具Ｊ２と、長さ調節手段及びカップ支持帯２６を具備した肩掛け用ストラップＳを備える。前記乳房用カップの内側には当て部材用ポケットを具備している。また、前記一対の乳房用カップは、捲って開放できる。肩掛け用ストラップＳの一端は、前記一対の乳房用カップＣと装着用バストバンドＵとの縫着部近くで連結し、カップ支持帯２６を乳房用カップＣの外側縁から下縁にかけての縁部Ｃ１に縫着してなる。
【００１８】
前記連結具（Ｊ２）は、連結受け体（１）と掛環体（２）とを、揺動中心となる軸部（１２）の回りに、一定の揺動角度に規制する手段のもとに装着面と平行する方向に首振り（揺動）自在に係合した構成である。前記一定の揺動角度に規制する手段は、図７に示すように、連結受け体（１）の主基板（１１）に、揺動中心となる軸部（１２）を立設すると共に軸部（１２）の回りに揺動する掛環体（２）の副基板（２１）の揺動領域となる両肩部にストッパー（１６）を突設した構成である。図９に示すように、掛環体（２）の副基板（２１）の縁がストッパー（１６）に当たって揺動を止め、結果として連結受け体（１）に対する掛環体（２）の首振り（揺動）角度を設定するようにした構成としている。なお前記ストッパー（１６）は、掛環体（２）の副基板（２１）に、連結受け体（１）の主基板（１１）の揺動領域となる両肩部にストッパー（１６）を突設しても良く、また左右を共通としない場合には、一方向への揺動を規制するように一本のストッパー（１６）を突設すれば良い（図示省略）。
【００１９】
前記連結受け体１と掛環体２との構成は、ストッパー１６を突設した構成、輪郭形状及び前記掛環体２の副基板２１の一端縁部に設けた固定帯通し用長孔２２にバンド装着スリット１７を設けている点（図８参照）において相違するが、他の構成は実施例１における連結具Ｊ１と略同一であるため、同一符号を付して詳細な説明は省略する。
【発明の効果】
本発明に係る授乳用ブラジャーによれば、連結受け体１に断面円形又は縦長円形とした軸部１２を立設し、これに掛環体２の軸断面形状のフック掛止用穴部２５を掛ける構成として、連結受け体１に対する掛環体２の装着面と平行する方向の首振り（揺動）を許容した上で、乳房用カップＣを形成する生地の上端部Ｃ２に伸縮帯部材２７で連結した掛環体２を設けたから、掛環体２を肩掛け用ストラップＳと連結した連結具Ｊ１、Ｊ２の連結受け体１に係合させる作業は、連結受け体１に対する掛環体２の揺動と伸縮帯部材２７の伸縮の協働により、肩掛け用ストラップＳと乳房用カップＣとの相互関係を崩すことなく、また方向性に制約を受けることなく簡単且つ確実に行うことができる。
【００２１】
また、肩掛け用ストラップＳと連結した連結具Ｊ１、Ｊ２の連結受け体１から掛環体２を外しても、乳房用カップＣの外側縁から下縁にかけての縁部Ｃ１に縫着したゆとりある長さのカップ支持帯２６によって、肩掛け用ストラップＳは妄動することなく連結受け体１を略定位置に残すようになるから、授乳後に、連結受け体１の軸部１２に掛環体２を掛ける場合においても、連結受け体１の行方を探すことなく簡単且つ迅速に連結受け体１と掛環体２を連結することができる。また、肩掛け用ストラップＳと乳房用カップＣとの相互関係を崩すことなく、簡単且つ迅速に連結受け体１と掛環体２を連結することができるから、装着状態の崩れを招かず、不用意な乳房圧迫とこれによる母乳の溢出を防止することができる。
【００２２】
なお一対の乳房用カップＣの相互を、フロント部分の開閉具で開閉する構成（図示せず）とすると、肩掛け用ストラップＳと乳房用カップＣとの連結具Ｊ１、Ｊ２を開くことなく、乳房用カップＣ相互を大きく開いて授乳することも可能であり、周囲を気遣うことなく気楽に授乳を行うこともできる。
【００２３】
なお上記実施例１、２においては、バック止めの装着用バストバンドＵの一部であるアンダーバスト部Ｕ１に一対の乳房用カップＣをそれぞれ縫着したブラジャー主体の場合について説明したが、前記したようにフロント部分の開閉具を具備したブラジャー主体であっても、またこれを併有したブラジャー主体であっても、本発明の作用効果を達成するものであるから、上記実施例１、２に限定されるものではない。
【００２４】
これは乳房用カップＣが、その内側に当て部材用ポケットＰを具備するものであっても、また乳房用カップＣのアンダー部分縁部に沿って形状記憶ワイヤを内装したものであっても同様であり、特にこの種の構成の乳房用カップＣは、前記連結具Ｊ１、Ｊ２の装着面と平行する方向の首振り（揺動）許容構造及び伸縮帯部材２７の伸縮連結構造が、その位置を装着者の体型に応じた無理のない位置に維持して窮屈感を一層緩和できる。
【００２５】
さらに実施例２に係る授乳用ブラジャーにおいては、連結受け体１と掛環体２とを、一定の揺動角度に規制する手段を具備した連結具Ｊ２で連結し、軸部１２の回りに相対的に揺動する連結受け体１の主基板１１又は掛環体２の副基板２１の揺動領域となる両肩部にストッパー１６を突設しているから、実施例１の授乳用ブラジャーと同様の作用効果を堅持した上で、乳房カップの操作による連結具が必要以上に揺動しないように作用して、必要以上に揺動した場合に生じる肩掛け用ストラップの緩みからの装着崩れ（肩に対する肩掛け用ストラップの大幅な位置変動、肩からのずり落ち等）を抑止するため、さらに良好な装着を確保し且つ装着崩れが激減する授乳用ブラジャーを提供できる。
【図面の簡単な説明】
【図１】  本発明の実施例１に係る授乳用ブラジャーにおける、一方の乳房用カップＣと肩掛け用ストラップＳを連結する連結具Ｊ１の連結受け体１と掛環体２を脱着し、該一方の乳房用カップＣを開放した装着姿勢状態の正面図。
【図２】  本発明の実施例１に係る授乳用ブラジャーにおける、乳房用カップＣと肩掛け用ストラップＳとの結合部分の拡大図。
【図３】  本発明の実施例１に係る授乳用ブラジャーにおける、合成樹脂製の連結具Ｊ１を構成する連結受け体１の正面図。
【図４】  本発明の実施例１に係る授乳用ブラジャーにおける、連結具Ｊ１を構成する掛環体２とこれに取付けた伸縮帯部材２７との正面図。
【図５】  本発明の実施例１に係る授乳用ブラジャーにおける、連結具Ｊ１を構成する連結受け体１とこれに係合する掛環体２との係合状態を断面とし、係合状態を実線で示し、掛環体２の離脱過程を仮想線で示した説明図。
【図６】  本発明の実施例１に係る授乳用ブラジャーにおける、連結受け体１に対する掛環体２の揺動状態を示す正面図。
【図７】  本発明の実施例２に係る授乳用ブラジャーにおける、合成樹脂製の連結具Ｊ２を構成する連結受け体１の正面図と中央縦断面図。
【図８】  本発明の実施例２に係る授乳用ブラジャーにおける、連結具Ｊ２を構成する掛環体２の正面図と中央縦断面図。
【図９】  本発明の実施例２に係る授乳用ブラジャーにおける、連結具Ｊ２を構成する連結受け体１とこれに係合する掛環体２との係合状態と連結受け体１に対する掛環体２の揺動規制状態を示す正面図。
【図１】
0004126421.tif 000002
【図２】
0004126421.tif 000003
【図３】
0004126421.tif 000004
【図４】
0004126421.tif 000005
【図５】
0004126421.tif 000006
【図６】
0004126421.tif 000007
【図７】
0004126421.tif 000008
【図８】
0004126421.tif 000009
【図９】
0004126421.tif 000010